(57)【要約】【課題】保冷室の下部に陳列された商品がずれたり、商品が大量に陳列されたりする場合であっても、保冷室内の保冷性能が低下することのないオープンショーケースを提供する。【解決手段】少なくとも前面が開放された保冷室２が設けられるとともに、該保冷室２の上部の吹出口１２から該保冷室２の下部の吸込口１３に向けて冷気が吹き出されて、前記保冷室２の開放面にエアーカーテン１９が形成されることにより、前記保冷室２の内部が保冷されるオープンショーケース１において、前記保冷室２の下部に、該保冷室２の内側に向けて前記吸込口１３から所定距離をあけて仕切体４５が設けられている。【選択図】図２
2014108181.tif 000002
【特許請求の範囲】
【請求項１】
少なくとも前面が開放された保冷室が設けられるとともに、該保冷室の上部の吹出口から該保冷室の下部の吸込口に向けて冷気が吹き出されて、前記保冷室の開放面にエアーカーテンが形成されることにより、前記保冷室の内部が保冷されるオープンショーケースにおいて、
前記保冷室の下部に、該保冷室の内側に向けて前記吸込口から所定距離をあけて仕切体が設けられていることを特徴とするオープンショーケース。
【請求項２】
前記仕切体は、線材が格子状に組み付けられて形成されていることを特徴とする請求項１に記載のオープンショーケース。
【請求項３】
前記仕切体は、前記吸込口の最上部よりも高くなるように形成されていることを特徴とする請求項１または２に記載のオープンショーケース。
【請求項４】
前記仕切体は、少なくとも前記保冷室の前面および側面からなるコーナ部の両辺に沿って設けられていることを特徴とする請求項１ないし３のいずれかに記載のオープンショーケース。
【発明の詳細な説明】
【技術分野】
【０００１】
少なくとも前面が開放された保冷室が設けられるとともに、該保冷室の上部の吹出口から該保冷室の下部の吸込口に向けて冷気が吹き出されて、前記保冷室の開放面にエアーカーテンが形成されることにより、前記保冷室の内部が保冷されるオープンショーケースに関する。
【背景技術】
【０００２】
従来、スーパーマーケットやコンビニエンスストアにおいて、冷凍食品や生鮮食料品等の商品を陳列するとともに所望の温度に保持するために、冷気循環式のオープンショーケースが利用されている。
【０００３】
このようなオープンショーケースでは、前面や側面が開口されたケース本体の内部に形成された保冷室に上下方向に沿って商品の陳列棚が複数段設けられるとともに、ケース本体と保冷室との間に形成された通風路に冷却器と送風機とが設けられている。また、保冷室の内部の空気を、ケース本体の下部に設けられた吸込口から通風路に吸い込み、冷却かつ圧送して、ケース本体の上部に設けられた吹出口から冷気として内ケース内に吹き出すことで、ケース本体の開口面にエアーカーテンを形成して、保冷室内の商品を保冷するようにしている。
【０００４】
このようなオープンショーケースでは、内ケース（保冷室）の内部に陳列される生鮮食品等の陳列商品がずれ落ちないようにするために、内ケースの外側にフェンス（外フェンス）が設けられる。吸入口グリル（吸込口）の後部垂直板の裏面側にフェンス固定具を取り付け、フェンスの脚を上記フェンス固定具の筒体に上方より挿入することにより、フェンスが吸込口グリルの上方に位置するように取り付けられるものがある（例えば、特許文献１）。
【先行技術文献】
【特許文献】
【０００５】
【特許文献１】実公平５−１２７００号公報（第１頁、第４図）
【発明の概要】
【発明が解決しようとする課題】
【０００６】
しかしながら、特許文献１にあっては、内ケース（保冷室）の内部に陳列された商品が内ケース外にずれ落ちることは防止されるものの、陳列された商品が内ケース内でずれ落ちて吸込口グリル（吸込口）の側面や斜面に商品が接触したり、内ケース内に商品が大量に陳列されて吸込口グリルの直ぐ近くまで商品が置かれたりして、吸込口グリルの側面や斜面に形成され冷気を吸い込むための切欠き孔（吸込孔）が塞がれてしまって、吸込口グリルでの冷気の吸い込み量が不十分となり、エアーカーテンが十分に形成されずに、内ケース内の保冷性能が低下するという問題がある。
【０００７】
本発明は、このような問題点に着目してなされたもので、保冷室の下部に陳列された商品がずれたり、商品が大量に陳列されたりする場合であっても、保冷室内の保冷性能が低下することのないオープンショーケースを提供することを目的とする。
【課題を解決するための手段】
【０００８】
前記課題を解決するために、本発明のオープンショーケースは、
少なくとも前面が開放された保冷室が設けられるとともに、該保冷室の上部の吹出口から該保冷室の下部の吸込口に向けて冷気が吹き出されて、前記保冷室の開放面にエアーカーテンが形成されることにより、前記保冷室の内部が保冷されるオープンショーケースにおいて、
前記保冷室の下部に、該保冷室の内側に向けて前記吸込口から所定距離をあけて仕切体が設けられていることを特徴としている。
この特徴によれば、保冷室の下部に、保冷室の内側に向けて吸込口から所定距離をあけて仕切体が設けられることで、保冷室の下部において吸込口から所定距離の間に冷気の流れる通路を確保できるので、保冷室の下部に陳列された商品がずれたり、商品が大量に陳列されたりする場合であっても、吸込口が塞がれることが防止されて、吹出口から吹き出された冷気が当該通路を通って吸込口に達し、保冷室の開放面にエアーカーテンが確実に形成されるので、保冷室の内部の保冷性能を維持できる。
【０００９】
本発明のオープンショーケースは、
前記仕切体は、線材が格子状に組み付けられて形成されていることを特徴としている。
この特徴によれば、線材が格子状に組み付けられて仕切体が形成されることで、格子状の線材の間を冷気が通過できるので、エアーカーテンを形成する冷気の流れが仕切体によって阻害されることを防止できる。
【００１０】
本発明のオープンショーケースは、
前記仕切体は、前記吸込口の最上部よりも高くなるように形成されていることを特徴としている。
この特徴によれば、吸込口の最上部よりも高くなるように仕切体が形成されることで、商品が仕切体に倒れ掛かるような場合でも吸込口が商品により塞がれることが確実に防止でき、なおかつ、商品が保冷室の外へ落下してしまうことを防止できる。
【００１１】
本発明のオープンショーケースは、
前記仕切体は、少なくとも前記保冷室の前面および側面からなるコーナ部の両辺に沿って設けられていることを特徴としている。
この特徴によれば、保冷室の前面および側面からなるコーナ部の両辺に沿って仕切体が設けられることで、コーナ部に商品が集中して陳列される場合であっても、コーナ部の吸込口が塞がれることが防止されて、コーナ部の両側での冷気の吸い込み量のバランスが維持されるので、保冷室のコーナ部の保冷性能を維持できる。
【図面の簡単な説明】
【００１２】
【図１】実施例１におけるオープンショーケースを示す斜視図である。
【図２】オープンショーケースを示す側断面図である。
【図３】仕切体のオープンショーケースへの取付態様を示す側断図である。
【図４】仕切体のオープンショーケースへの取付態様を示す斜視図である。
【図５】（ａ）は、仕切体を示す正面図であり、（ｂ）は、同じく側面図であり、（ｃ）は、同じく上面図である。
【発明を実施するための形態】
【００１３】
本発明に係るオープンショーケースを実施するための形態を実施例に基づいて以下に説明する。
【実施例１】
【００１４】
実施例１に係るオープンショーケースにつき、図１から図５を参照して説明する。以下、図１および図４の矢印Ａ方向をショーケースの正面側（前方側）とし、図２および図３の紙面左側をショーケースの正面側（前方側）とする。
【００１５】
図１の符号１は、本発明の適用されたオープンショーケースである。このオープンショーケース１は、前面および側面が開放されているラウンド型のオープンショーケースであって、複数の商品を低温に保って冷凍または冷蔵した状態で陳列可能な保冷室２を有する。
【００１６】
図２に示すように、保冷室２は、前面および側面が開口された断熱構造を有するケース本体３の内部が、複数の仕切壁４により仕切られて形成されている。また、背面側および側面側の仕切壁４には、商品を陳列するための陳列棚５が上下多段に取り付けられているとともに、保冷室２の下部には、商品（図示略）を陳列可能な底板６が設けられており、保冷室２内に多数の商品を載置可能な構成となっている。
【００１７】
また、ケース本体３の上部の前端および側端はキャノピー７で覆われており、その下部には照明（図示略）が配設されている。そして、キャノピーにより照明光が反射されて、保冷室２の内部が均一に照らされるようになっている。さらに、キャノピー７にはロール式のナイトカバー（図示略）が収納されている。
【００１８】
また、ケース本体３と仕切壁４との間には、保冷室２を覆うように冷気を循環させるための通風路１０が設けられている。この通風路１０には、その底部に、空気を冷却する冷却装置９および冷気を圧送する送風機１１が設置されている。
【００１９】
また、図２に示すように、ケース本体３の上部には、保冷室２の前面に通風路１０内の冷気を吹き出す吹出口１２が形成されており、ケース本体３の下部には、通風路１０に保冷室２内の空気を吸い込む吸込口１３が形成されている。
【００２０】
また、吹出口１２は、ケース本体３の外縁に沿って延設されており、吹出口１２には、横長の直方体構造の空気整流体１６が着脱自在に保持されており、通風路１０内の冷気が下方向に整流されて吹き出されるようになっている。一方、吸込口１３は、ケース本体３の外縁に沿って延設されている（図４参照）。そして、吸込口１３には、ケース本体３の内下方に向けて緩やかに傾斜された横長の傾斜面を有する吸込口カバー（図示略）が取り付けられており、この吸込口カバーの傾斜面には、前後方向に延びたスリット状をなし通風路１０に連通する吸込孔１５が、左右方向に多数穿設されている。また、図３に示すように、吸込口１３を形成する保冷室２の外側の仕切壁４には、略円状をなし通風路１０に連通する吸込孔１５’が複数穿設されている。
【００２１】
また、保冷室２の背面側および側面側の仕切壁４には、陳列棚５を支持するブラケット１７の後端の係止片１８が係止される複数の係止孔（図示略）が所定間隔離間して縦列に穿設されており、任意の係止孔を利用してブラケット１７が取り付けられている。そして、ブラケット１７により陳列棚５が支持され、左右一対のブラケット１７の間に陳列棚５が架設されている。また、各陳列棚５の棚板は、棚板の両端縁がコーナ部に位置する形状、すなわち平面視で台形状（図１参照）に形成されているとともに、奥行き寸法は、後述するエアーカーテン１９と棚板とが干渉しないように所定寸法に定められている。
【００２２】
また、陳列棚５の上面の先端部には、陳列された商品の落下を防止するために立設部材２０が陳列棚５の左右方向に設けられている。さらに、陳列棚５の前縁部には、商品案内文字や商品価格、バーコード等が記載られた商品表示カードを取り付けるためのフロントレール２１が装着されている。このフロントレール２１は、陳列棚５の左右方向に延設されており、商品表示カードを係止して、オープンショーケースの前方から従業員や消費者が商品表示カードを目視できるようになっている。
【００２３】
図３に示すように、吸込口１３の内部のケース本体３側には、断面が上向きコ字状に形成され、後述する外フェンス４０の外フェンス脚部４２を支持する外フェンス脚支持部４１が設けられており、外フェンス脚部４２が挿入されるようになっている。
【００２４】
図４に示すように、ケース本体３の下部に取り付けられる外フェンス４０は、ケース本体３の左右方向および上下方向に金属製のワイヤが張られて構成されている。また、外フェンス４０の左右には、保冷室２の内方に向けて延設されるとともに、下方に屈曲された外フェンス脚部４２が設けられている。そして、図３に示すように、前述の外フェンス脚支持部４１によって外フェンス脚部４２が支持されることで、ケース本体３の下部に外フェンス４０が固定されて、保冷室２の内部に陳列された商品がずれ落ちてオープンショーケース１の外に落下することが防止される。なお、ケース本体３において外フェンス４０の更に外側には、外装となる手摺レール４３が設けられる。
【００２５】
図３に示すように、吸込口１３の内部の保冷室２側には、仕切壁４に上下方向に延設された筒状の筒状部４４が、左右方向に離間されて複数個設けられている。この筒状部４４には、本発明に係る仕切体としての内フェンス４５の内フェンス脚部４６が、吸込孔１５を挿通された後に係止されるようになっており、筒状部４４同士の離間間隔およびその個数は、内フェンス脚部４６同士の間隔や脚部数に対応するように定められている。なお、筒状部４４は少なくとも２つ設けられていればよいが、それ以上の個数設けてもよい。また、筒状部４４は仕切壁４に溶接されていてもよいし、仕切壁４の吸込孔１５’に係止されていてもよい。
【００２６】
図５に示すように、本発明の仕切体としての内フェンス４５は、ケース本体３の左右方向および上下方向に延設された仕切部４７と、仕切部４７の上下方向の中央付近からケース本体３の前方に突出するとともに、下方に湾曲された内フェンス脚部４６を有している。そして、仕切部４７は、左右方向に長辺を向けた長方形状に形成された金属製の枠に、上下方向および左右方向にそれぞれ複数の金属製ワイヤが格子状に組み付けられて構成されている。
【００２７】
そして、金属製ワイヤの組み付け間隔は、保冷室２の下部に陳列される商品の大きさに応じて定められており、格子間を、吹出口１２から吹き出された冷気の流れが良好に通過される一方、商品は格子間を通過不可能になっている。
【００２８】
さらに、内フェンス４５の高さは、その内フェンス脚部４６が前述の筒状部４４に掛止された状態で、吸込口カバーの上面、すなわち吸込孔１５の位置よりも高くなるように定められている。これにより、保冷室２の下部に陳列された商品が内フェンス４５に倒れ掛かるような場合でも、吸込孔１５が塞がれることが防止される。
【００２９】
また、内フェンス４５の内フェンス脚部４６は、その最上端が仕切部４７の上下方向の中央付近の高さとなるような逆Ｕ字状に形成されている。この内フェンス脚部４６は、仕切部４７から吸込口１３に向かって延びており、仕切部４７が吸込口１３から保冷室２の内方に向けて所定距離をあけて立設されるようになっている。これにより、吸込口１３と仕切部４７との間には、常に所定空間が確保されるので、冷気がその所定空間を通過して吸込口に流れ込み、エアーカーテンを良好に維持することができる。
【００３０】
また、図４に示すように、内フェンス４５は、保冷室２のコーナ部を形成する前面側および側面側にそれぞれ取り付けられる。このように、保冷室２のコーナ部に沿って内フェンス４５を取り付けることで、特にエアーカーテンが形成されにくい保冷室２のコーナ部の吸込口１３が塞がれてしまうことが防止される。
【００３１】
次に、本実施例に係るオープンショーケースの作用につき説明する。
【００３２】
先ず、通風路１０内に設けられた送風機１１を駆動させて、ケース本体３の底部の吸込口１３から空気を取り込むとともに、取り込んだ空気を冷却装置９により冷却しつつ、通風路１０内を対流させる。そして、通風路１０内の冷気を、ケース本体３の上部の吹出口１２から下部の吸込口１３に向けて吹き出させる。
【００３３】
すると、吹出口１２から吹き出された冷気の一部は、保冷室２の内部を対流して、保冷室２内の商品を冷却する。また、他の冷気の一部は、上下各段の陳列棚５の前方を通って流れ下り、保冷室２の下部に設けた内フェンス４５によって確保された空間を介して、吸込口１３に達して吸い込まれる。
【００３４】
これにより、保冷室２の前面から側面にかけての開口にエアーカーテンが作り出されるとともに、冷気がオープンショーケース１内で循環されるので、保冷室２内の冷気が外部に拡散することや外部の熱が保冷室２内に侵入することが低減されて、保冷室２内を一定温度に効率よく維持することができる。
【００３５】
以上により、保冷室２の下部に、保冷室２の内側に向けて吸込口１３から所定距離をあけて内フェンス４５（仕切体）が設けられることで、保冷室２の下部において吸込口１３から所定距離の間に冷気の流れる通路を確保できるので、保冷室２の下部に陳列された商品がずれたり、商品が大量に陳列されたりする場合であっても、吸込口１３が塞がれることが防止されて、吹出口１２から吹き出された冷気が当該通路を通って吸込口１３に達し、保冷室２の開放面にエアーカーテンが確実に形成されるので、保冷室２の内部の保冷性能を維持できる。
【００３６】
また、線材が格子状に組み付けられて内フェンス４５（仕切体）が形成されることで、格子状の線材の間を冷気が通過できるので、エアーカーテンを形成する冷気の流れが内フェンス４５によって阻害されることを防止できる。
【００３７】
また、吸込口１３の最上部よりも高くなるように内フェンス４５（仕切体）が形成されることで、商品が内フェンス４５に倒れ掛かるような場合でも吸込口１３が商品により塞がれることが防止でき、なおかつ、商品が保冷室２の外へ落下してしまうことを防止できる。
【００３８】
また、保冷室２の前面および側面からなるコーナ部の両辺に沿って内フェンス４５（仕切体）が設けられることで、コーナ部に商品が集中して陳列される場合であっても、コーナ部の吸込口１３が塞がれることが防止されて、コーナ部の両側での冷気の吸い込み量のバランスが維持されるので、保冷室２のコーナ部の保冷性能を維持できる。
【００３９】
以上、本発明の実施例を図面により説明してきたが、具体的な構成はこれら実施例に限られるものではなく、本発明の要旨を逸脱しない範囲における変更や追加があっても本発明に含まれる。
【００４０】
例えば、前記実施例では、保冷室２の前面側および側面側にそれぞれ１つの内フェンス４５（仕切体）を設置しているが、両側にそれぞれ複数の内フェンス４５を設置してもよいし、前面側から側面側に渡って上面視で略Ｌ字型に形成された１つの内フェンス４５を設置してもよい。
【００４１】
また、前記実施例では、仕切部４７を垂直平面状に形成しているが、仕切部４７を前後方向に屈曲させたり、湾曲させたりして形成してもよいし、吸込口１３から所定距離の間に冷気の流れる通路を確保できる限り、仕切部４７の上端を外フェンスまで延設したり、仕切部４７と外フェンス４０とを一体に形成してもよい。また、仕切部４７が商品と広範囲にわたって面的に接触しないように、仕切部４７に複数の屈曲や突起を設けてもよい。さらに、複数の棒状部材を保冷室２の下部や仕切壁４の側面に突設するようにしてもよい。
【符号の説明】
【００４２】
１                オープンショーケース
２                保冷室
３                ケース本体
４                仕切壁
５                陳列棚
６                底板
７                キャノピー
９                冷却装置
１０              通風路
１１              送風機
１２              吹出口
１３              吸込口
１５              吸込孔
１６              空気整流体
１７              係止片
１９              エアーカーテン
２０              立設部材
２１              フロントレール
３６              ショーケースコントローラ
３７              保冷室内温度計
３８              冷気温度計
４０              外フェンス
４１              外フェンス脚支持部
４２              外フェンス脚部
４３              手摺レール
４４              筒状部
４５              内フェンス（仕切体）
４６              内フェンス脚部
４７              仕切部
【図１】
2014108181.tif 000003
【図２】
2014108181.tif 000004
【図３】
2014108181.tif 000005
【図４】
2014108181.tif 000006
【図５】
2014108181.tif 000007